(57)【要約】      （修正有）【課題】活物質液の流動性低下を防止できるフロー型電池の運転方法の提供。【解決手段】活物質液を貯留する活物質液タンク２、３と、電極が設けられたセルと、活物質液タンク２、３からの前記活物質液をセルに流通させるポンプ２２、３２とを備えたフロー型電池の活物質液を安定化する方法であって、前記活物質液中の流動を阻害する凝集物の発生を未然に防止するか、又は前記活物質液中に既に発生している流動を阻害する凝集物を減らすフロー型電池の運転方法。活物質液タンクに貯留されている前記活物液を攪拌装置４２で攪拌するフロー型電池の運転方法。【選択図】図１
2018181797.tif 000002
【特許請求の範囲】
【請求項１】
活物質液を貯留する活物質液タンクと、電極が設けられたセルと、前記活物質液タンクからの前記活物質液を前記セルに流通させるポンプとを備えたフロー型電池の活物質液を安定化する方法であって、
前記活物質液中の流動を阻害する凝集物の発生を未然に防止するか、又は前記活物質液中に既に発生している流動を阻害する凝集物を減らすことを特徴とするフロー型電池の運転方法。
【請求項２】
前記活物質液タンクに貯留されている前記活物質液を撹拌装置により撹拌することを特徴とする請求項１記載のフロー型電池の運転方法。
【請求項３】
前記活物質液を貯留する活物質液タンクと前記ポンプとの間で前記活物質液を循環することを特徴とする請求項１又は２記載のフロー型電池の運転方法。
【請求項４】
前記活物質液中の流動を阻害する凝集物を濾過により除去することを特徴とする請求項１〜３の何れかに記載のフロー型電池の運転方法。
【請求項５】
前記セル内の前記活物質液の流路を前記活物質液によって逆洗することを特徴とする請求項１〜４の何れかに記載のフロー型電池の運転方法。
【請求項６】
前記活物質液を加熱することを特徴とする請求項１〜５の何れかに記載のフロー型電池の運転方法。
【請求項７】
前記活物質液中の流動を阻害する凝集物の発生を未然に防止すると共に、前記活物質中に流動を阻害する凝集物が発生した場合に前記凝集物を減らすことを特徴とする請求項１〜６の何れかに記載のフロー型電池の運転方法。
【発明の詳細な説明】
【技術分野】
【０００１】
本発明は、フロー型電池の運転方法に関し、より詳しくは、活物質液の流動性低下を防止できるフロー型電池の運転方法に関する。
【背景技術】
【０００２】
活物質液を用いた電力機器としては、フロー型電池やレドックスキャパシタ等がある。
【０００３】
レドックスキャパシタは、電極のコンデンサ容量に基づく蓄電機能と、活物質液と電極間での電荷移動反応を伴う電池機能とを併せ持つ。このとき、活物質液を外部から供給しないレドックスキャパシタでは、その蓄電容量は小さく、通常の二次電池としての機能を発揮することは難しい。
【０００４】
一方、フロー型電池は、電極に対して活物質液を外部から供給することで、継続的に電池機能を発揮できる。フロー型電池として、例えば、バナジウムを活物質に用いるレドックスフロー電池が知られている（特許文献１、２）。
【先行技術文献】
【特許文献】
【０００５】
【特許文献１】特開昭６２−１８６４７３号公報
【特許文献２】特開平４−２８６８７１号公報
【発明の概要】
【発明が解決しようとする課題】
【０００６】
レドックスキャパシタは、活物質液をセルスタック内で静止させるため、活物質液の流動性は必要ない。そのため、活物質液に、該活物質液の流動性を損なう程の高濃度の電池活物質を含有させても格別問題にならない。
【０００７】
これに対して、フロー型電池では、外部から供給される活物質液をセルスタック内の液流通型電極に等配すること（等配性）等が保証される十分な流動性が求められる。
【０００８】
しかし、活物質液は、例えば活物質を高濃度で含有すること等によって流動性低下を生じるため、フロー型電池の実用性を考慮すると更なる改善の余地がある。
【０００９】
そこで本発明の課題は、活物質液の流動性低下を防止できるフロー型電池の運転方法を提供することにある。
【００１０】
また本発明の他の課題は、以下の記載によって明らかとなる。
【課題を解決するための手段】
【００１１】
上記課題は、以下の各発明によって解決される。
【００１２】
（請求項１）
活物質液を貯留する活物質液タンクと、電極が設けられたセルと、前記活物質液タンクからの前記活物質液を前記セルに流通させるポンプとを備えたフロー型電池の活物質液を安定化する方法であって、
前記活物質液中の流動を阻害する凝集物の発生を未然に防止するか、又は前記活物質液中に既に発生している流動を阻害する凝集物を減らすことを特徴とするフロー型電池の運転方法。
（請求項２）
前記活物質液タンクに貯留されている前記活物質液を撹拌装置により撹拌することを特徴とする請求項１記載のフロー型電池の運転方法。
（請求項３）
前記活物質液を貯留する活物質液タンクと前記ポンプとの間で前記活物質液を循環することを特徴とする請求項１又は２記載のフロー型電池の運転方法。
（請求項４）
前記活物質液中の流動を阻害する凝集物を濾過により除去することを特徴とする請求項１〜３の何れかに記載のフロー型電池の運転方法。
（請求項５）
前記セル内の前記活物質液の流路を前記活物質液によって逆洗することを特徴とする請求項１〜４の何れかに記載のフロー型電池の運転方法。
（請求項６）
前記活物質液を加熱することを特徴とする請求項１〜５の何れかに記載のフロー型電池の運転方法。
（請求項７）
前記活物質液中の流動を阻害する凝集物の発生を未然に防止すると共に、前記活物質中に流動を阻害する凝集物が発生した場合に前記凝集物を減らすことを特徴とする請求項１〜６の何れかに記載のフロー型電池の運転方法。
【発明の効果】
【００１３】
本発明によれば、活物質液の流動性低下を防止できるフロー型電池の運転方法を提供することができる。
【図面の簡単な説明】
【００１４】
【図１】第１実施形態に係るフロー型電池の運転方法を実施するための装置を説明する概略図
【図２】第２実施形態に係るフロー型電池の運転方法を実施するための装置を説明する概略図
【図３】第３実施形態に係るフロー型電池の運転方法を実施するための装置を説明する概略図
【図４】第４実施形態に係るフロー型電池の運転方法を実施するための装置を説明する概略図
【図５】第５実施形態に係るフロー型電池の運転方法を実施するための装置を説明する概略図
【発明を実施するための形態】
【００１５】
本発明はフロー型電池の活物質液の安定化のために用いられる。
【００１６】
活物質液は、フロー型電池のセルに設けられた電極における電極反応によって酸化及び又は還元される活物質を含む。活物質は、反応性が高いため、活物質液中に流動を阻害する凝集物を発生させ、活物質液の流動性を低下させる原因になる。
【００１７】
活物質液の安定化は、活物質液中の流動を阻害する凝集物の発生を未然に防止すること、又は活物質液中に既に発生している流動を阻害する凝集物を減らすことによって達成され得る。本発明によって安定化された活物質液は、流動性が向上し、フロー型電池への適性が向上する。
【００１８】
以下に説明する第１〜５実施形態は、活物質液中の流動を阻害する凝集物の発生を未然に防止するか、又は活物質液中に既に発生している流動を阻害する凝集物を減らす点で共通する。中でも、第１実施形態及び第２実施形態は、特に活物質液中の流動を阻害する凝集物の発生を未然に防止することに好適に寄与する。第３実施形態及び第４実施形態は、特に活物質液中に既に発生している流動を阻害する凝集物を減らすことに好適に寄与する。第５実施形態は、活物質液中の流動を阻害する凝集物の発生を未然に防止すること、及び、活物質液中に既に発生している流動を阻害する凝集物を減らすことの両方に寄与する。
【００１９】
以下に、図面を参照して各実施形態について詳しく説明する。
【００２０】
１．第１実施形態
図１は第１実施形態に係るフロー型電池の運転方法を実施するための装置を説明する概略図である。
【００２１】
本実施形態において、フロー型電池は、フロー型二次電池（レドックスフロー電池）であり、複数のセルにより構成されたセルスタック１と、セルスタック１の正極（図示省略）に供給される正極活物質液（以下、単に正極液ともいう）を貯留する正極液タンク２と、セルスタック１の負極（図示省略）に供給される負極活物質液（以下、単に負極液ともいう）を貯留する負極液タンク３とを備える。
【００２２】
セルスタック１は、充放電時において、正極液をセルスタック１内に流入させる正極液流入口１１と、正極液をセルスタック１内から流出させる正極液流出口１２とを備える。正極液流入口１１からの正極液は、正極が設けられた正極室（図示省略）内の流路を流通した後、正極液流出口１２から流出される。
【００２３】
また、セルスタック１は、充放電時において、負極液をセルスタック１内に流入させる負極液流入口１３と、負極液をセルスタック１内から流出させる負極液流出口１４とを備える。負極液流入口１３からの負極液は、負極が設けられた負極室（図示省略）内の流路を流通した後、負極液流出口１４から流出される。
【００２４】
本実施形態において、正極液及び負極液は、それぞれ、セルスタック１を構成する複数のセルの液流通型電極に等配されるように構成されている。
【００２５】
正極液タンク２は、供給ライン２１によって、セルスタック１の正極液流入口１１に接続されている。供給ライン２１にはポンプ２２が設けられている。また、セルスタック１の正極液流出口１２は、返送ライン２３によって、正極液タンク２に接続されている。充放電時において、正極液タンク２からの正極液は、ポンプ２２によって、供給ライン２１を介して、セルスタック１の正極液流入口１１に供給される。そして、セルスタック１の正極液流出口１２からの正極液は、返送ライン２３を介して、正極液タンク２に返送される。
【００２６】
負極液タンク３は、供給ライン３１によって、セルスタック１の負極液流入口１３に接続されている。供給ライン３１にはポンプ３２が設けられている。また、セルスタック１の負極液流出口１４は、返送ライン３３によって、負極液タンク３に接続されている。充放電時において、負極液タンク３からの負極液は、ポンプ３２によって、供給ライン３１を介して、セルスタック１の負極液流入口１３に供給される。そして、セルスタック１の負極液流出口１４からの負極液は、返送ライン３３を介して、負極液タンク３に返送される。
【００２７】
以上のように、フロー型電池は、正極液タンク２とセルスタック１との間で正極液を循環すると共に、負極液タンク３とセルスタック１との間で負極液を循環して、充放電を行うように構成されている。
【００２８】
本実施形態において、正極液は正極活物質としてバナジウム５価及び４価を全バナジウムイオン濃度として２．５Ｍ以上含有している。また、負極液は負極活物質としてバナジウム２価及び３価を全バナジウムイオン濃度として２．５Ｍ以上含有している。正極液及び負極液の全バナジウムイオン濃度の上限は格別限定されず、本発明による流動性低下の防止効果が得られる範囲であれよいが、例えば５．０Ｍ以下とすることができる。
【００２９】
かかるフロー型電池の充電時及び放電時の電極反応は、それぞれ下記のように表される。
【００３０】
（充電時の電極反応）
正極反応：ＶＯ２＋（４価）＋Ｈ２Ｏ  →  ＶＯ２＋（５価）＋２Ｈ＋＋ｅ−
負極反応：Ｖ３＋（３価）＋ｅ−  →  Ｖ２＋（２価）
（放電時の電極反応）
正極反応：ＶＯ２＋（５価）＋２Ｈ＋＋ｅ−  →  ＶＯ２＋（４価）＋Ｈ２Ｏ
負極反応：Ｖ２＋（２価）  →  Ｖ３＋（３価）＋ｅ−
【００３１】
第１実施形態に係るフロー型電池において、正極液タンク２には、正極液タンク２内の正極液を撹拌する撹拌装置４が設けられている。また、負極液タンク３にも、負極液タンク３内の負極液を撹拌する同様の撹拌装置４が設けられている。本実施形態において、撹拌装置４は、モータ４１により回転駆動される撹拌羽根４２を備えている。
【００３２】
撹拌によって、活物質液の流動性低下を防止する効果が得られる。撹拌は、特に活物質液中の流動を阻害する凝集物の発生を未然に防止することに好適に寄与する。
【００３３】
この効果は、活物質液が有するチキソトロピー性によって発揮されているものと推定される。即ち、撹拌に伴うせん断応力によって、活物質液がゾル化した状態が好適に保持され、流動性低下が防止されているものと考えられる。例えば、活物質液中において、活物質は、酸素原子等と繋がってネットワークを形成しようとする。ネットワークが十分に伸長されると、電池活物質液がゲル化されてしまう。このとき、撹拌に伴うせん断応力は、ネットワークの形成を阻害し、あるいはネットワークを切断して、ゾル化した状態を形成することに寄与する。これにより、活物質液が懸濁液であっても、良好な流動性を発揮することができる。
【００３４】
本発明者の試験によって、活物質液に含有される活物質が、例えば１．５Ｍ以上、２．０Ｍ以上、更には２．５Ｍ以上と高濃度になるほど、チキソトロピー性が顕著になり、上述した効果が好適に発揮されることが確認されている。チキソトロピー性が顕著な活物質液は、ゲル化して流動性がなくなるため、フロー型電池に使用できなかったが、本発明によれば、このような活物質液であってもフロー型電池に好適に使用できる。
【００３５】
本実施形態では、正極液タンク及び負極液タンクの両方に撹拌装置を設けているが、他の実施形態において正極液タンク及び負極液タンクの何れか一方に撹拌装置を設けてもよい。
【００３６】
本実施形態では、撹拌装置として、モータにより撹拌羽根を回転させる撹拌装置を例示したが、これに限定されない。
【００３７】
撹拌装置による撹拌は、充電時、放電時、充放電停止時、及び、活物質液の保管時の何れに行ってもよく、常時行ってもよい。
【００３８】
２．第２実施形態
次に、図２を参照して第２実施形態について説明する。図２は第２実施形態に係るフロー型電池の運転方法を実施するための装置を説明する概略図である。ここで、図１と同符号の構成については図１についてした説明が援用されるため、ここでの説明は省略する。
【００３９】
第２実施形態において、正極液タンク２には、正極液タンク２とポンプ２２との間で正極液を循環するタンク循環ライン５が設けられている。
【００４０】
本実施形態において、タンク循環ライン５は、供給ライン２１におけるポンプ２２の下流側から分岐され、正極液タンク２と接続されている。供給ライン２１におけるタンク循環ライン５の分岐点より下流側にはバルブＶ１が設けられている。また、タンク循環ライン５にはバルブＶ２が設けられている。
【００４１】
充放電時において、バルブＶ１は開放され、バルブＶ２は閉じられている。そのため、充放電時においては、正極液タンク２から供給ライン２１に流入した正極液は、セルスタック１に供給される。一方、タンク循環時において、バルブＶ１は閉じられ、バルブＶ２は開放される。そのため、タンク循環時においては、正極液タンク２から供給ライン２１に流入した正極液は、セルスタック１に供給されることなく（セルスタック１の電極を介さず）、タンク循環ライン５を介して、正極液タンク２に返送される。
【００４２】
タンク循環によって、活物質液の流動性低下を防止する効果が得られる。タンク循環は、特に活物質液中の流動を阻害する凝集物の発生を未然に防止することに好適に寄与する。
【００４３】
この効果もまた、第１実施形態と同様に、活物質液が有するチキソトロピー性によって発揮されているものと推定される。即ち、タンク循環に伴うせん断応力によって、活物質液がゾル化した状態が好適に保持され、流動性低下が防止されているものと考えられる。
【００４４】
図示しないが、負極液タンク３についても、同様の構成を適用して、同様の効果を得ることができる。正極液タンク２及び負極液タンク３の何れか一方にタンク循環ライン５が設けられることが好ましく、両方に設けられることが最も好ましい。
【００４５】
また、タンク循環ライン５に例えば静的混合器（スタティックミキサー）等の撹拌装置を設けてもよい。
【００４６】
３．第３実施形態
次に、図３を参照して第３実施形態について説明する。図３は第３実施形態に係るフロー型電池の運転方法を実施するための装置を説明する概略図である。ここで、図１と同符号の構成については図１についてした説明が援用されるため、ここでの説明は省略する。
【００４７】
第３実施形態において、フロー型電池には、正極液中の流動を阻害する凝集物を濾過により除去するフィルタ６１が設けられている。
【００４８】
本実施形態において、フィルタ６１はフィルタ用セル６内に内蔵されている。フィルタ用セル６への正極液の供給は、供給ライン２１におけるポンプ２２の下流側から分岐された分岐ライン６２によって成される。フィルタ用セル６内におけるフィルタ６１の一側に供給された正極液は、他側に向けてフィルタ６１を通過する。フィルタ用セル６内におけるフィルタ６１の他側は、返送ライン６３によって正極液タンク２と接続されている。供給ライン２１における分岐ライン６２の分岐点より下流側にはバルブＶ３が設けられている。また、分岐ライン６２にはバルブＶ４が設けられている。
【００４９】
充放電時において、バルブＶ３は開放され、バルブＶ４は閉じられている。そのため、充放電時においては、正極液タンク２から供給ライン２１に流入した正極液は、セルスタック１に供給される。一方、フィルタ濾過時において、バルブＶ３は閉じられ、バルブＶ４は開放される。そのため、フィルタ濾過時においては、正極液タンク２から供給ライン２１に流入した正極液は、セルスタック１には供給されず、フィルタ６１による濾過処理に供される。
【００５０】
フィルタ濾過によって、活物質液の流動性低下を防止する効果が得られる。フィルタ濾過は、特に活物質液中に既に発生している流動を阻害する凝集物を減らすことに好適に寄与する。また、フィルタ通過に伴って活物質液に撹拌作用が働き、第１実施形態で説明したチキソトロピー性によるゾル化による流動性向上効果も発揮される。
【００５１】
図示しないが、負極液についても、同様の構成を適用して、同様の効果を得ることができる。正極液及び負極液の何れか一方にフィルタ濾過が適用されることが好ましく、両方に適用されることが最も好ましい。
【００５２】
フィルタとしては、例えば、孔径が０．５μｍ〜１ｍｍ程度である濾布や、炭素繊維フェルト充填層、グラスウール充填層等のような充填層等を用いることができる。
【００５３】
４．第４実施形態
次に、図４を参照して第４実施形態について説明する。図４は第４実施形態に係るフロー型電池の運転方法を実施するための装置を説明する概略図である。ここで、図１と同符号の構成については図１についてした説明が援用されるため、ここでの説明は省略する。
【００５４】
第４実施形態において、フロー型電池には、セルスタック１内の正極液流路及び負極液流路を、正極液及び負極液のそれぞれによって逆洗するための正極逆流ライン７及び負極逆流ライン８が設けられている。
【００５５】
正極逆流ライン７を構成する第１の正極逆流ライン７１は、正極液を、セルスタック１の正極液流出口１２へ逆流（即ち流入）させるためのラインである。第１の正極逆流ライン７１は、供給ライン２１におけるポンプ２２の下流側から分岐され、返送ライン２３と接続されている。供給ライン２１における第１の正極逆流ライン７１の分岐点より下流側にはバルブＶ５が設けられている。返送ライン２３における第１の正極逆流ライン７１の合流点より下流側にはバルブＶ６が設けられている。また、第１の正極逆流ライン７１にはバルブＶ７が設けられている。
【００５６】
正極逆流ライン７を構成する第２の正極逆流ライン７２は、正極液を、セルスタック１の正極液流入口１１から逆流（即ち流出）させるためのラインである。第２の正極逆流ライン７２は、供給ライン２１におけるバルブＶ５の下流側（逆流する正極液から見ると上流側である）から分岐され、正極液タンク２と接続されている。第２の正極逆流ライン７２にはバルブＶ８が設けられている。
【００５７】
また、負極逆流ライン８を構成する第１の負極逆流ライン８１は、負極液を、セルスタック１の負極液流出口１４へ逆流（即ち流入）させるためのラインである。第１の負極逆流ライン８１は、供給ライン３１におけるポンプ３２の下流側から分岐され、返送ライン３３と接続されている。供給ライン３１における第１の負極逆流ライン８１の分岐点より下流側にはバルブＶ９が設けられている。返送ライン３３における第１の負極逆流ライン８１の合流点より下流側にはバルブＶ１０が設けられている。また、第１の負極逆流ライン８１にはバルブＶ１１が設けられている。
【００５８】
負極逆流ライン８を構成する第２の負極逆流ライン８２は、負極液を、セルスタック１の負極液流入口１３から逆流（即ち流出）させるためのラインである。第２の負極逆流ライン８２は、供給ライン３１におけるバルブＶ９の下流側（逆流する負極液から見ると上流側である）から分岐され、負極液タンク３と接続されている。第２の負極逆流ライン８２にはバルブＶ１２が設けられている。
【００５９】
充放電時において、バルブＶ５、Ｖ６、Ｖ９、Ｖ１０は開放され、バルブＶ７、Ｖ８、Ｖ１１、Ｖ１２は閉じられている。そのため、充放電時においては、正極液及び負極液は、図１を参照して説明した順路でセルスタック１に供給される。一方、逆洗時において、バルブＶ５、Ｖ６、Ｖ９、Ｖ１０は閉じられ、バルブＶ７、Ｖ８、Ｖ１１、Ｖ１２は開放される。そのため、逆洗時においては、正極液及び負極液は、図１を参照して説明した順路とは逆向きにセルスタック１に供給される。
【００６０】
逆洗によって、活物質液の流動性低下を防止する効果が得られる。逆洗は、特に活物質液中に既に発生している流動を阻害する凝集物を減らすことに好適に寄与する
【００６１】
この効果は、逆洗によってセルスタック１内の正極液流路及び負極液流路の流動を阻害する凝集物が除去されていること等によって発揮されているものと推定される。つまり、正極液流路及び負極液流路内の凝集物は、該流路における正極液及び負極液の流通を滞らせ、更なる凝集物の発生を促し、流動性低下の原因になり得る。かかる凝集物が逆洗によってセルスタック１内の正極液流路及び負極液流路から好適に除去され、正極液及び負極液の流動性低下が防止されるものと考えられる。
【００６２】
特にセルスタック１の電極が、導電性炭素繊維のような導電性繊維の集合体によって構成される場合は、微小な凝集物であっても、繊維間の微細な隙間に捕捉されやすく、流動性低下が生じ易い。逆洗を行うことによって、このような流動を阻害する凝集物も好適に除去することができる。
【００６３】
本実施形態では、セルスタック１の正極液流路及び負極液流路の両方を逆洗するように正極逆流ライン７１、７２及び負極逆流ライン８１、８２を設けているが、他の実施形態において正極液流路及び負極液流路の何れか一方に逆流ラインを設けてもよい。
【００６４】
逆流ラインの構成は、上記の例に限定されず、逆洗を実施できるものであればよい。
【００６５】
５．第５実施形態
次に、図５を参照して第５実施形態について説明する。図５は第５実施形態に係るフロー型電池の運転方法を実施するための装置を説明する概略図である。ここで、図１と同符号の構成については図１についてした説明が援用されるため、ここでの説明は省略する。
【００６６】
第５実施形態において、図５に示す例では、フロー型電池は、正極液を加熱するためのヒーター９と、正極液の温度を測定する温度計９１とを備えている。
【００６７】
本実施形態において、ヒーター９は、正極液タンク２内の正極液を加熱するように、正極液タンク２に設けられている。また、温度計９１は、正極液タンク２に返送される正極液の温度を測定するように、返送ライン２３上に設けられている。
【００６８】
加熱によって、活物質液の流動性低下を防止する効果が得られる。加熱は、活物質液中の流動を阻害する凝集物の発生を未然に防止すること、及び、活物質液中に既に発生している流動を阻害する凝集物を減らすことの両方に寄与する。
【００６９】
この効果については、活物質液中における流動を阻害する凝集物の発生が加熱によって防止されること、及び、既に流動を阻害する凝集物が発生していても加熱によって再溶解されること等が推定される。
【００７０】
フロー型電池における大部分の正極液は正極液タンク２内に存在するため、正極液タンク２にヒーター９を設けることによって、効率的な加熱を行うことができる。
【００７１】
更に、正極液タンク２には、ヒーター９と共に撹拌装置４が設けられていることが好ましい。活物質液においては、水のような熱対流が起こりにくいため、通常はヒーター９からの熱を正極液タンク２内の正極液全体に効率的に拡散させるには限界がある。これに対して、撹拌装置４が併設されることで、ヒーター９からの熱を強制的に拡散することができ、より効率的な加熱を行うことができる。
【００７２】
本実施形態では温度計９１を設けることによって、温度計９１によって測定される温度が所定の温度になるように、加熱を行うことができる。所定の温度（目標温度）は格別限定されず、正極液の流動性低下を防止するように適宜設定可能であるが、例えば３０℃〜６０℃程度とすることができる。
【００７３】
返送ライン２３から正極液タンク２に返送される正極液は、フロー型電池の系内で最も温度が低下している。そのため、返送ライン２３上に設けられた温度計９１の温度に基づいて加熱を行うことは、正極液の流動性低下を確実に防止する観点で好ましい。
【００７４】
図示しないが、負極液についても、同様の構成を適用して、同様の効果を得ることができる。正極液及び負極液の何れか一方を加熱するヒーターが設けられることが好ましく、両方に設けられることが最も好ましい。
【００７５】
加熱は、充電時、放電時、充放電停止時、及び、活物質液の保管時の何れに行ってもよく、常時行ってもよい。
【００７６】
以上の説明では、第５実施形態において、活物質液を加熱する手段として、ヒーターを用いる場合について説明したが、活物質液を加熱する手段は、格別限定されない。その他の加熱手段としては、例えば、温水、温風、スチーム等を例示することができる。
【００７７】
また、以上の説明では、正極液タンク内の活物質液を加熱する態様について記載したが、加熱する部位は限定されず、活物質液を輸送するライン中であってもよい。
【００７８】
６．その他
以上の説明において、一つの実施形態について説明された構成は、他の実施形態に適宜適用することができる。例えば、活物質液中の流動を阻害する凝集物の発生を未然に防止するための構成（例えば第１実施形態、第２実施形態、第５実施形態）を複数組み合わせれば、流動を阻害する凝集物の発生をより確実に防止できる。また、例えば、活物質液中に既に発生している流動を阻害する凝集物を減らすための構成（例えば、第３実施形態、第４実施形態、第５実施形態）を複数組み合わせれば、活物質液中の流動を阻害する凝集物をより確実に減らすことができる。
【００７９】
また更に、例えば、活物質液中の凝集物の発生を未然に防止するための１又は複数の構成を、活物質液中に既に発生している凝集物を減らすための１又は複数の構成と適宜組み合わせることで、凝集物発生の未然防止と事後対処が好適に実現され、流動性低下を防止する効果がより確実に発揮される。
【００８０】
例えば、第１、２又は５実施形態によって前記活物質中に流動を阻害する凝集物が発生することを防止すると共に、前記活物質中に流動を阻害する凝集物が発生した場合に、第３、４又は５実施形態によって前記凝集物を減らすことは好ましいことである。
【００８１】
フロー型電池としては、例えばフロー型二次電池等が挙げられる。また、フロー型電池は一次電池でもよく、例えば燃料電池等であってもよい。フロー型電池における活物質液の供給形態は限定されず、例えば、正極及び負極の両方に活物質液を供給するものや、正極を空気極（酸素極）とし、負極に活物質液を供給するもの等が挙げられる。
【００８２】
正極及び負極の両方に活物質液を供給するフロー型電池として、例えば、Ｖ／Ｖ系、Ｆｅ／Ｃｒ系、Ｔｉ／Ｍｎ系、Ｃｒ／Ｂｒ系、Ｚｎ／Ｂｒ系、Ｚｎ／Ｃｌ系等が挙げられる。
【００８３】
正極を空気極（酸素極）とし、負極に活物質液を供給するフロー型電池として、例えば、Ｖ／空気系、Ｃｒ／空気系等が挙げられる。
【００８４】
更に、活物質液に含有される活物質は、例えば、酸化還元性の液状物質やイオン液体等であってもよい。酸化還元性の液状物質としては、例えばキノン／ヒドロキノンによる酸化還元性を有する液状物質等が挙げられる。
【００８５】
以上の説明では、フロー型電池がセルスタックを有する場合について主に説明したが、これに限定されない。フロー型電池は１又は複数のセルを有することができる。
【符号の説明】
【００８６】
１：セルスタック
２：正極活物質液（正極液）タンク
２１：供給ライン
２２：ポンプ
２３：返送ライン
３：負極活物質液（負極液）タンク
３１：供給ライン
３２：ポンプ
３３：返送ライン
４：撹拌装置
４１：モータ
４２：撹拌羽根
５：タンク循環ライン
６：フィルタセル
６１：フィルタ
６２：分岐ライン
６３：返送ライン
７：正極逆流ライン
７１：第１の正極逆流ライン
７２：第２の正極逆流ライン
８：正極逆流ライン
８１：第１の負極逆流ライン
８２：第２の負極逆流ライン
９：ヒーター
９１：温度計
【図１】
2018181797.tif 000003
【図２】
2018181797.tif 000004
【図３】
2018181797.tif 000005
【図４】
2018181797.tif 000006
【図５】
2018181797.tif 000007